(57)【特許請求の範囲】
【請求項１】
規定数の遊技球を使用して１回毎の図柄組合わせゲームを展開し得る遊技機内の遊技盤(9)に装備される入球装置にあって、
前記遊技盤(9)の遊技面(22)内の下部所要位置に成形された取付け口(95)に嵌合装着され、横長帯状に成形された基板(52)の前面上段部に多数枚の仕切り片(53)が所定の縦列等間隔で前向きに整合成形され、各仕切り片(53)間に遊技球を通入出し得る規定数分の入球口(54)を横一列に等間隔で区画配設した横長枠形の本体(51)と、
前記本体(51)の裏面に成形され、前後に開通するセット口(56)が形成された保持枠(55)と、
前面に検出体(60)およびランプ(73)が上下２段に配置されて該検出体(60)およびランプ(73)が検出用回路とランプ用回路とに区分接続され、前記保持枠(55)のセット口(56)に検出体(60)を挿入保持するよう前記本体(51)の裏側にボス部(90)を利用してビス着される１枚の横長帯状の集合基板(74)とを備えて一つの入球ユニット(U)を構成し、
前記検出体(60)は、前記仕切り片(53)と同等間隔で成形されて該仕切り片(53)の下端に整合される夫々の区画片(62)間に、遊技球用の通入出領域として前記入球口(54)の下面に整合連絡される平面凹形状の入球検出口(63)を形成することで平面略櫛歯形に成形された１枚の郭体(61)を、前記保持枠(55)のセット口(56)に挿入保持し、該郭体(61)における各入球検出口(63)の対応位置に規定数分の検出部(67)を横一列に構成配列すると共に夫々の検出部(67)を前記集合基板(74)に等間隔で接続して、前記入球口(54)に入った遊技球を対応する検出部(67)で検出し得るよう構成し、
前記ランプ(73)は、前記検出体(60)の検出部(67)に対応するよう前記集合基板(74)に横一列に配置接続されて対応位置の検出部(67)の検出信号に基づいて点灯表示し得るよう構成する一方、
前記遊技盤(9)前面に固定されて前記入球ユニット(U)の本体(51)前側に整合して組付けられる外装表示体(77)における表示板(78)の表面には、規定数分の入球表示部(79)を前記各々のランプ(73)の照明位置に合わせて横一列に形成し、
前記入球ユニット(U)における本体(51)と前記検出体(60)とは、該本体(51)に成形した前記保持枠(55)の適所に形成された凹溝(89a)と、該検出体(60)の前記郭体(61)に形成された突条(89b)とを位置決め手段として、正確に組付けセットし得るように構成した
ことを特徴とする図柄組合わせ式パチンコ遊技機用の入球装置。
【請求項２】
前記外装表示体(77)の裏面には、前記仕切り片(53)の位置決め用の凹溝(81)を有する支持縁(80)を全ての仕切り片(53)に対応するよう縦列等間隔で形成する一方、
前記支持縁(80)間に、前記入球口(54)および検出体(60)の入球検出口(63)内に位置する案内部(82)が形成されている請求項１記載の図柄組合わせ式パチンコ遊技機用の入球装置。
【請求項３】
前記検出体(60)は、前記郭体(61)に凹設されて前記検出部(67)および必要な回路を設けたスイッチ基板(65)が組込まれる凹座(64)と、該凹座(64)に嵌着されて検出部(67)およびスイッチ基板(65)を覆蓋保護する蓋片(68)とを備える請求項１または２記載の図柄組合わせ式パチンコ遊技機用の入球装置。
【発明の詳細な説明】
【０００１】
【発明の属する技術分野】
この発明は、図柄組合わせ式パチンコ遊技機用の入球装置に関し、更に詳しくは、規定数の遊技用パチンコ球(遊技球ともいう)を使用して１回毎の図柄組合わせゲームを展開し得るパチンコ遊技機において、遊技面内に打出された規定数の遊技球を通入可能とする入球装置に関するものである。
【０００２】
【従来の技術】
一般に「アレンジボール遊技機」とも呼ばれているこの種の遊技機では、遊技面内での毎回の図柄組合わせゲームにあたり、規定数単位(有効１６個)の遊技球を使用して１球ずつ遊技面内に打出し、そして各遊技球が夫々の入球口等に通入して検出されたことに対して、図柄表示部における当該の図柄(一般的にはアラビア数字「１〜１６」)がランプの点灯を利用して照明表示される。そうして当該回のゲーム終了結果において、表示された夫々の図柄同志が予じめ設定された「図柄の組合わせ」と一致した際には、その組合わせに係る入賞が成立されてそれに対応する褒賞(設定数の賞球)が獲得できるようになっている。それだけにこの遊技機では、遊技面上に配置させる他の入球具や通過具とは別に、規定数全ての遊技球を通入可能とするための入球装置が必要とされている。
【０００３】
このような遊技機にあって、従来より使用されている入球装置については、遊技盤に取着される本体に規定数分の入球口が横一列に区画成形された基本構成において、全ての入球口に対する入球検出機構部として
(ａ) 入球通過用の検出口を有する磁気スイッチまたは近接スイッチを各入球口に合わせて配列した形式のもの、
(ｂ) 機械的な検出接点を有するスイッチ(例えばリミットスイッチタイプ)および球受けレバーを組単位にして、各入球口内側に配設した形式のもの、
(ｃ) 光学式スイッチ(発光・受光の光センサータイプ)および球受けレバーを組単位にして、各入球口内側に配設した形式のもの、
等が多く利用されている。
【０００４】
しかしこれら何れの入球装置にあっても、１個単位毎に構成されて独立した検出機能を有する規定数分の入球検出機構部が、全ての入球口に合わせて横一列に配設された形式であることから、装置の全長(左右横方向のサイズ)が長くなってしまう。このため夫々の入球装置が、遊技盤の限られた円形状広さの遊技面内の下方に設置し得なくなり、従って同装置を設置した遊技面が広く有効に活用できなくなると共に、好適な遊技面の設計,構成が困難となる大きな問題があった。また、特に前記(ｂ)項および(ｃ)項の形式の入球装置では、組単位毎における入球検出機構部の部品点数が多くなって装置全体の構成が複雑化し、それだけ製作に手間が掛かると共にコスト高にもなる問題があった。
【０００５】
【発明が解決しようとする課題】
そこでこのような図柄組合わせ式遊技機において、前述した従来の入球装置に係る問題を解決しようとした技術として、実公平５−２５６５７号公報に開示される「パチンコ式図柄組合わせ遊技機用の入球装置」が提案されている。この入球装置では、規定数分の入球口の下方に、入球通過用の検出口を有するスイッチ(近接スイッチ等)が上下２段の横２列に配設されて、上段と下段のスイッチ同志の側縁部が互いに上下重合(ラップ量Ｇ)された千鳥状に設置されている形式であることにより、装置の全長(横方向のサイズ)が、(規定数−１)×ラップ量Ｇだけ短かくし得るとされている。しかしながら反面、スイッチを上,下２段に配置していることから装置の全高(上下縦方向のサイズ)が必然的に大きくなってしまう。このためこのような入球装置にあっても、依然として装置全体の好適な小型化そして遊技面の広く有効な活用を図ることが難しい問題があった。
【０００６】
【発明の目的】
本発明は、前述した課題を好適に解決するために提案されたものであって、規定数分の入球口に対する検出部を新たに構成して、全長、全高および厚みを含む全体サイズを可及的に小型化し得ると共に、遊技面の広く有効な活用を図り得るようにした構造簡単で製作容易な入球装置を提供することを目的とする。
【０００７】
【課題を解決するための手段】
前述した課題を克服し、所期の目的を好適に達成するため本発明は、規定数の遊技球を使用して１回毎の図柄組合わせゲームを展開し得る遊技機内の遊技盤に装備される入球装置にあって、
前記遊技盤の遊技面内の下部所要位置に成形された取付け口に嵌合装着され、横長帯状に成形された基板の前面上段部に多数枚の仕切り片が所定の縦列等間隔で前向きに整合成形されて、各仕切り片間に遊技球を通入出し得る規定数分の入球口を横一列に等間隔で区画配設した横長枠形の本体と、
前記本体の裏面に成形され、前後に開通するセット口が形成された保持枠と、
前面に検出体およびランプが上下２段に配置されて該検出体およびランプが検出用回路とランプ用回路とに区分接続され、前記保持枠のセット口に検出体を挿入保持するよう前記本体の裏側にボス部を利用してビス着される１枚の横長帯状の集合基板とを備えて一つの入球ユニットを構成し、
前記検出体は、前記仕切り片と同等間隔で成形されて該仕切り片の下端に整合される夫々の区画片間に、遊技球用の通入出領域として前記入球口の下面に整合連絡される平面凹形状の入球検出口を形成することで平面略櫛歯形に成形された１枚の郭体を、前記保持枠のセット口に挿入保持し、該郭体における各入球検出口の対応位置に規定数分の検出部を横一列に構成配列すると共に夫々の検出部を前記集合基板に等間隔で接続して、前記入球口に入った遊技球を対応する検出部で検出し得るよう構成し、
前記ランプは、前記検出体の検出部に対応するよう前記集合基板に横一列に配置接続されて対応位置の検出部の検出信号に基づいて点灯表示し得るよう構成する一方、
前記遊技盤前面に固定されて前記入球ユニットの本体前側に整合して組付けられる外装表示体における表示板の表面には、規定数分の入球表示部を前記各々のランプの照明位置に合わせて横一列に形成し、
前記入球ユニットにおける本体と前記検出体とは、該本体に成形した前記保持枠の適所に形成された凹溝と、該検出体の前記郭体に形成された突条とを位置決め手段として、正確に組付けセットし得るように構成したことを特徴とする。
【０００８】
【作用】
入球装置は、遊技盤の下部所要部位の取付け口に取着される入球ユニットと、この入球ユニットの前面に装着される外装表示体とから構成される。入球ユニットは、遊技面内に打出されて落下する遊技球の通過を許容する入球口を横一列に配列した本体と、基板に接続されて入球口に入った遊技球を検出する規定数分の検出部と、該基板に配置接続された規定数分のランプからなる。遊技面内に打出された遊技球は、該遊技面内を落下して前記入球口のうちの一つに入球して対応の検出部により検出されると共に、当該の入球表示をなすランプが点灯されて入球表示部を内側から照明表示する。
また、入球ユニットにおける本体と前記検出体とは、該本体の裏面に成形した保持枠の適所に形成された凹溝と、該検出体の前記郭体に形成された突条とを位置決め手段とすることで、正確に組付けセットし得る。
【０００９】
【実施例】
次に、本発明に係る図柄組合わせ式パチンコ遊技機用の入球装置について、好適な実施例を挙げて、添付図面を参照して以下詳細に説明する。なお本実施例では、遊技盤における入球装置で入球検出した全ての遊技球を遊技面(前面)に通出落下させた後に裏側へ排出処理する形態であることにおいて、一般的なパチンコ機と同様に構成された(共通の各種遊技構成部材が装備された)図柄組合わせパチンコ遊技機(単に遊技機ともいう)について、主に例示する。
【００１０】
本実施例の遊技機は、その全体の基本的な構成として、図１および図２に略示するように、外郭保持枠をなす外枠１の開口前面側に、開閉搭載枠をなす前枠２が開閉および着脱可能に組付けられている。この前枠２の各部に搭載される共通の各種遊技構成部材として、前側にガラス扉４を組付けた窓枠３と、内側に電動式の球送りカセット６をセットした開閉式の上球皿５と、定置式の下球皿７が夫々装備されており、また正面右下部の前後に亘り電動式の打球発射装置８が装備されている。一方、前枠２の正面内部に各種の遊技用部品等を配設すると共に、使用済遊技球(終了球ともいう)の集合排出口２３を開口した遊技盤９が交換可能にセットされており、また前枠２の裏側に終了球および賞球の各処理部を備えた機構セット盤１０が着脱可能にセットされている。
【００１１】
このような遊技機にあって、前記前枠２は、全体が合成樹脂成形されたもので、図３,図４および図５に示すように、その正面内部に遊技盤セット用の保持枠１１が成形されて、内外２重枠形態とされている。そして、この保持枠１１の下部に一体成形された遊技補助盤１２において、発射レール１３と、無効遊技球とされる戻り球(ファール球ともいう)の受け具１４および同球用の検出スイッチ１５と、効果音発生装置１６が夫々設置されている一方、終了球用の受け口１７と、賞球用の排出口１８およびファール球や零れ球用の回収路１９が夫々成形されている。また前記球送りカセット６は、打球発射装置８の打球動作にタイミングを合わせて、上球皿５からの遊技球を１球ずつ受入れて発射レール１３側に送出すと共に、有効規定数(実送球数−ファール球数＝１６個)をカウント検出し得るよう構成されている。なお、ファール球の検出信号および球送りカウント信号は、遊技用の制御回路装置４７に入力されるようになっている。一方前記打球発射装置８は、操作ハンドル部８Ａでのタッチ条件,スイッチ検出条件およびボリューム調整条件に基いて、前述した球送り動作と打球作動部８Ｂの打球動作とを設定タイミングで行なって、発射位置の遊技球を打球杆２０で打出すようになっている。
【００１２】
また前記遊技盤９では、円形状のレール２１内の遊技面２２において、縦央最下部に前記受け口１７に連絡される終了球用の集合排出口(パチンコ機の場合ではアウト口に相当する)２３が開口され、各種の遊技用部品として後述する入球装置Ｍの他に、各々の入球具２４,２５や役物２６,２７、通過検出具２８,２８や図柄表示装置２９等が配設されて遊技用の制御回路装置４７で入出力制御されるようになっており、また盤裏側には夫々の入球具２４,２５および役物２６,２７から通出された遊技球用の案内樋３０,３０、および遊技制御回路装置４７に接続される検出スイッチ３１,３１が夫々配設されている例を示す。なお集合排出口２３は、盤下端面も開口されて受け口１７の開口上面に整合連絡されている例を示す(図５参照)。
【００１３】
そして前記機構セット盤１０では、図２および図５に略示するように、遊技盤裏面点検用の窓口３３を開口した本体３２の下部内側に前記受け口１７と連絡される終了球用の排出路３４が成形されており、また本体３２の各部に賞球用の球タンク３５、整流樋３６および送出樋３７が一連に連設されて、送出樋３７の下端に電動検出式の賞球払出し装置３８が設置されている。そして、この装置３８から払出された賞球の排出経路として、前記排出口１８を介して上球皿５側に連絡される主排出路３９と、これより分岐連設されて連絡容器４１を介して下球皿７側および前記回収路１９に連絡される副排出路４０が成形されている。但しこのセット盤１０では、パチンコ機に使用される機構セット盤と共通(共用)タイプのものであることにおいて、本体３２の下部内側に成形されているセーフ球用の排出路４２が使用されないまま残存されている。これに合わせて前枠２側の受け口１７の裏面には、排出路４２との仕切りをなす蓋板４３が取着されるようになっており(図４および図５参照)、またセーフ球用の排出路４２の途上に設置されるセーフ球処理装置４４は、使用されないことを考慮してケース単位で取外されている例を示す(図２中想像線参照)。なお機構セット盤１０には、ターミナル基盤４５および賞球払出し用の制御回路装置４６等が常設され、また前記遊技用の制御回路装置４７が設置されるようになっている。
【００１４】
このような本実施例の遊技機において、前記遊技盤９に対して取付け口を利用して装着される入球装置Ｍは、集合排出口２３を基準に観て上下方向の所要範囲内で任意の高さ位置に選択して設置し得るようにした前提のものにあって、入球検出した全ての遊技球(終了球)を前側に通出落下させて、集合排出口２３から裏側へ排出させ得るようにした形態のものとされている(図３,図４および図５参照)。そして、この入球装置Ｍの全体の基本的な構成として、図６〜図１２に示すように、規定数(１６個)の入球口５４を横一列に区画形成して遊技盤９に嵌合装着される本体５１と、この本体５１の裏側から組付けられて規定数の入球検出部を全ての入球口５４に整合する検出体６０と、本体５１の裏側に組付けられて各々のレンズ部７２を全ての入球口５４内に臨ませるランプホルダ６９および規定数のランプ７３、そして集合基板７４を含めて１つの入球ユニットＵが構成されており、この入球ユニットＵに対して規定数分の入球表示部７９を成形配置した装飾兼用の外装表示体７７が、本体５１前側に整合して組付けられるようになっている。
【００１５】
そこで、この入球装置Ｍについて細部に亘り詳細に説明すると、前記本体５１では、横長帯状に成形された基板５２の前面上段部に多数枚(図示左右１７枚)の仕切り片５３が所定の縦列等間隔で前向きに整合成形されて、各仕切り片５３間に遊技球用の通入出領域として必要最小の縦路間隔(例えば１２ｍｍ)を有する入球口５４が同一高さ位置に整合配置されている一方、基板５２の裏面中段位置に検出体用の横長状の保持枠５５が一体に成形されて、両者５２,５４間に亘り前後に開通したセット口５６が水平スリット状に成形されており、また基板５２の上段部に開口されたレンズ用の円孔５７が全ての入球口５４の中央部に合わせた同一高さ位置に配列されている。なお左右両外端の仕切り片５３,５３は、実質的には外壁ともされている。また、基板５２の裏面中段位置の長手方向にランプホルダ用の支持座５８が成形され、そして該基板５２の前面下段部の左右位置に外装表示体７７に対する位置決め用のピン５９が突出成形されている。
【００１６】
また前記検出体６０では、前述した本体５１のセット口５６内に挿入保持される１枚の横長帯板状の郭体６１に規定数分の入球検出部が横一列に構成配列された単一形式のもので、具体的には近接スイッチ形態のものを例として、図６,図７および図８に示すように、平面略櫛歯形に成形された郭体６１において、前記仕切り片５３と同等間隔で成形されて下端に整合される夫々の区画片６２間に、遊技球用の通入出領域として前記入球口５４の下面に整合連絡される平面凹形状の入球検出口６３が形成されており、また図１３,図１４に示すように、郭体６１に成形された夫々の凹座６４内に、磁場を発生する遊技球用の検出部６７および必要な回路を設けたスイッチ基板６５が組込まれて、凹座６４にフック等を利用して嵌着された蓋片６８で覆蓋保護されている。そしてこの検出体６０は、通常の状態として図９,図１０,図１１および図１２に示すように、郭体６１の後端に突出した全てのスイッチ基板６５の接続端部６６を利用して集合基板７４に対して直交状態で強固に嵌着接続(ハンダ付け)されて、基板単位で取扱い得ると共に本体５１側に装着し得るようになっている。なお、この検出体６０については、郭体６１に内蔵される１枚のスイッチ基板に個々の検出回路を独立して構成するもとで、規定数分の検出部６７を入球検出口６３の所要位置(図示前端)に臨むように配置した形式のものであってもよい。
【００１７】
そして前記ランプホルダ６９は、光透過性の良い樹脂材より成形されたもので、図６,図７および図８に示すように、横長帯状の支板７０の裏側に規定数分のランプ用の保護筒７１が成形配列され、また支板７０の前側に円形のレンズ部７２が成形配置されている。このランプホルダ６９は、図９,図１０,図１１および図１２に示すように、その支板７０を前記本体５１の支持座５８内に当て合わせてビス着し、夫々のレンズ部７２を円孔５７内に嵌合しており、各々の保護筒７１内に挿入したランプ７３でレンズ部７２を照射し得るようになっている。なおランプ７３は、例として発光ダイオードが使用されて集合基板７４に横一列で配置接続されている。また前記集合基板７４については、前記本体５１の基板５２より小形の横長帯状サイズのものが例とされ、前述の検出体６０のスイッチ基板６５およびランプ７３を上下２段に配置して検出用回路とランプ用回路(共に図示しない)に区分接続し、１つのスイッチ・ランプ基板として取扱い得るようになっており、そして本体５１裏側にボス部９０を利用してビス着されるようになっている。ちなみにこの集合基板７４は、両面プリント回路基板のものが好適とされ、所要位置に検出用のコネクタ７５とランプ用のコネクタ７６が配設されている(図８参照)。
【００１８】
前述した本体５１に対して、ランプホルダ６９と検出体６０およびランプ７３を集合一体化した集合基板７４が夫々の位置に組付けられることにより、１基の入球ユニットＵが構成される。このような入球ユニットＵについては、検出体６０の前述した構成、すなわち規定数の入球検出口６３が遊技球に対する必要最小サイズに形成されると共に余分なスペースや厚みを省略して横一列に配列されていることの構成により、横方向サイズおよび縦方向サイズを最小にし得、また前後方向サイズを遊技盤９の厚み(約１９ｍｍ)よりも小さくして、全体が最小外形サイズの小型に構成できる。そして、集合基板７４の各コネクタ７５,７６を利用して遊技用の制御回路装置４７に接続できるようになっている。なお、本体５１に対する検出体６０の組付けに際しては、保持枠５５の適所に形成された凹溝８９ａと、郭体６１の整合位置に形成された突条８９ｂとを位置決め手段として、正確に組付けセットし得るようになっている(図１０,図１２参照)。
【００１９】
一方、前述した入球ユニットＵに組合わされる前記外装表示体７７は、外形サイズおよび装飾面等を含めて適宜形態のものが選択使用されることにおいて、本体５１の前側に整合されて全ての入球口５４を覆蓋した状態で遊技盤９前面の所要位置にビス等で固定されるようになっている。そこで具体例として、図３および図６に示すように、遊技盤９における内側レール２１の下部に沿った円曲縁を有する正面略円帯形状の表示板７８において、表面の中央部上段に入球検出位置の各種の図柄を表示する入球表示部(アラビア数字「１〜１６」を示す)７９が、前記ランプ７３の照射位置に合わせた横一列に形成されており、また図７,図１１および図１２に示すように、裏面に全ての仕切り片５３の位置決め用の凹溝８１を有する支持縁８０が縦列等間隔で成形され、この支持縁８０間に入球に対する案内部８２が成形されている。これら支持縁８０および案内部８２は、夫々の入球口５４および検出体６０の入球検出口６３内に位置して、遊技球の安定した通入および静的な通出落下を図り、好適な入球検出を補助し得るよう構成されている。
【００２０】
またこの外装表示体７７では、図６,図９,図１０および図１１に示すように、その表示板７８の左右両側の板部８３の所要位置にビス孔８４が成形され、また同板部８３の裏側に遊技球用の案内斜壁８５が成形されており、そして両者８３,８５の外端部にスリット８７を利用して切除調整部８６が成形されている。これにより、外装表示体７７の全長(表示板７８の横方向サイズ)について、両端の切除調整部８６を残した状態で最大長とし得、また同調整部８６を切除した状態、つまりスリット８７の接続部分８８を切断した状態で最小長とし得る。そしてこのような全長の選択に基いて、遊技面２２上の最下位置から所定高さ範囲内の任意の位置に整合し得るようになっている。ちなみに、同表示体７７の何れの整合位置にあっても、各側の案内斜壁８５上に落下した遊技球は、前記本体５１における左端,右端の入球口５４(表示番号「１」と「１６」)側へ案内し得るようになっている。
【００２１】
そして、前述した遊技盤９に本実施例の入球装置Ｍが実施される場合の付属的な構造として、図４,図５,図１１および図１２に例示するように、樹脂成形された裏蓋９１が遊技盤９裏面に装着される。この裏蓋９１は、遊技盤９に成形(ルータ加工)された取付け口９５の裏側開口面および集合排出口２３の裏側開口面を覆蓋し得るサイズの蓋板９２が盤裏面に取着されて、前記夫々の案内樋３０が配置された場合に、各樋３０の部分的な蓋部を兼ね得るようになっている。そして蓋板９２の中央に球受け部９３が一体に成形されて、夫々の案内樋３０から通出した終了球を受入れて集合排出口２３へ案内し得るようになっている。なお蓋板９２は、具体的には遊技盤９裏面に成形された凹座９６に合わせて整一されている。また球受け部９３の上面において、個々に配設される案内樋３０が臨まない開口面部分には、必要に応じて所定サイズに形成(切断)された蓋片９４が適宜斜状に取着し得るようになっている(図１５参照)。
【００２２】
従って、前述のように構成された本実施例の入球装置Ｍは、遊技盤９の設計,構成にあたり、各種の遊技用部品２４,２５,２６,２７,２８,２９の選択使用および配置等に応じて、集合排出口２３を基準にした所要位置範囲に無理なく好適に設置し得る。すなわち入球ユニットＵについては、全体が必要最小サイズに構成されていることから、図１１および図１２に例示するように、遊技盤９の所要位置に成形された必要最小開口面域の取付け口９５に前側から嵌込んで本体５１の基板５２を遊技面２２にビス止めすることにより、裏側の集合基板７４を取付け口９５内に没入させたままの状態に設置し得る。一方、外装表示体７７については、表示板７８両端に切除調整部８６の有無条件を選択して、入球ユニットＵの本体５１に対して夫々の支持縁８０を仕切り片５３に、また案内部８２を入球口５４および入球検出口６３に夫々合わせた状態でセットすると共に本体５１のピン５９で位置決めし、そして両側の案内斜壁８５を遊技面２２に当てたもとで、各々のビス孔８４からビスを遊技盤９にねじ込んで装着し得る(図３参照)。なお入球装置Ｍの設置に関連して、遊技面２２に各入球口５４に対する入口として、遊技くぎ９９が横一列に等間隔で配設されている(図３参照)。
【００２３】
これにより、遊技盤９における入球装置Ｍの設置について、外装表示体７７の切除調整部８５を切除した条件で集合排出口２３に対する最下位に設置し得(図３中実線図示位置参照)、また切除調整部８５を残存した条件で集合排出口２３に対する所要高さ範囲の任意位置に設置することができる(図３中想像線図示位置参照)。そして、入球装置Ｍが何れの位置に設置される場合にあっても、遊技盤９の裏側に付設される裏蓋９１については、遊技盤裏側の組付け作業において、各々の案内樋３０が配置される前段階で取付け口９５および集合排出口２３の裏側開口面に合わせて形成された凹座９６に装着セットされて、入球ユニットＵの集合基板７４を覆蓋保護するようになっている。また、集合基板７４の各コネクタ７５,７６に接続されたスイッチ用およびランプ用の夫々の配線(図示しない)は、例えば遊技盤９裏面に凹刻された溝９７,９８内に通して、前記機構セット盤１０裏側に設置された遊技用の制御回路装置４７の入出力部に接続されるようになっている。
【００２４】
【実施例の作用】
次に、前述のように構成された本実施例のパチンコ遊技機の作用につき説明する。本実施例のパチンコ遊技機では、毎回の図柄組合わせゲームに規定数単位(有効１６球)の遊技球を使用し、一般的なパチンコ機の場合と同様な発射操作において、球送りカセット６による球送り動作と打球発射装置８による打球動作とのタイミング共同に基いて、発射レール１３の基部に１球ずつ送込まれた遊技球を打球杆２０で当打して遊技面２２内に打込む。そして、図１に例示する各々の入球具２４,２５や役物２６,２７、後述する入球装置Ｍに入った夫々の遊技球は、当該の検出部で個々に検出された後遊技盤９の表側と裏側とに夫々通出して、最終的には終了球として集合排出口２３に入り、以降前枠２の受け口１７から機構セット盤１０の排出路３４を通出して機外に排出される。そうして、ゲーム中における夫々の入球検出位置・条件等に対応して、入球装置Ｍにおける当該ランプ７３が点灯されて外装表示体７７の入球表示部７９が照明表示されることの結果において、予じめ設定された図柄(数字)組合わせ成立条件(アラビア数字「１〜１６」の組合わせ成立条件)と一致した場合に、機構セット盤１０の賞球払出し装置３８から設定数単位の賞球が払出されて、主排出路３９を介して上球皿５へ、また副排出路４０を介して下球皿７へ夫々排出されるようになっている。
【００２５】
前述したような図柄組合わせゲームにあって、遊技盤９に実施(装備)された本実施例の入球装置Ｍは、遊技面２２に打出された有効規定数の全ての遊技球を入球検出可能とした前提において、入球の適正な検出表示および好適な集合排出をなし得る。すなわち遊技面２２内において、前記入球具２４,２５や役物２６,２７に入らずに落下した遊技球を、入球ユニットＵにおける規定数の何れかの入球口５４に受入れ、そして外装表示体７７の支持縁８０および案内部８２を利用してその通出落下勢いを好適に緩和しながら本体５１の前面側に押寄せ、検出体６０の当該入球検出口６３内を静的に通入させてそのまま自然落下させる。なお、外装表示体７７両側の案内斜壁８５上に受けられた遊技球は、入球ユニットＵの主として左端と右端の各入球口５４,５４に向けて案内され、当該部位の入球口に入って前述と同様に入球検出口６３内を静的に通入出する。以降検出済みの遊技球は、遊技盤９の内側レール２１に沿ってその中央最下部に案内され、集合排出口２３から前記受け口１７に通出される。
【００２６】
このような入球通出状況において、夫々の入球検出口６３に静的に通入する遊技球を、案内部８２により入球検出口６３の前面に接近または転接する状態に保持しながら検出部６７により的確に検出し得るために、検出不良が好適に回避できる。そして、この検出信号が集合基板７４から遊技用の制御回路装置４７に入力されることに対して、同装置４７からの出力により当該位置にランプ７３が設定時間に亘り点灯されて、ランプホルダ６９のレンズ部７２から外装表示体７７の当該位置の入球表示部７９を内側より照明表示し得るものである。
【００２７】
一方ゲーム中において、前記入球具２４,２５や役物２６,２７に入って裏側へ通出された遊技球は、図４および図１１に例示する夫々の案内樋３０内を通出して当該の検出スイッチ３１で検出されて排出される。そして、最終的には裏蓋９１の球受け部９３内に受入れられて、前記集合排出口２３から受け口１７に通出される。このような裏通出の終了球に対して入球装置Ｍでは、当該の検出スイッチ３１の検出信号に基いて予じめ設定された位置(「１番〜１６番」までの何れか)のランプ７３が個々に点灯されて、これに対応する位置の入球表示部７９が照明表示される。但し、入球装置Ｍの入球検出表示において、前記設定位置の各ランプ７３の点灯条件については、前述した前通出の遊技球に係る検出部６７と、裏通出の遊技球に係る検出スイッチ３１との何れか早い検出時点(検出信号入力時点)に基いて有効に点灯保持される。
【００２８】
【変更例について】
本発明の図柄組合わせ式パチンコ遊技機が対象とする入球装置Ｍについては、前述した実施例だけに制限されず、他の形態例等も好適に推奨される。例えば、入球ユニットＵの本体５１に対して検出体６０を上段にランプ７３を下段に夫々配設して、各々の基板に接続するようにしてもよい。そして具体例のひとつとして、図１６に例示するように、本体５１の仕切り片および入球口が省略された場合の例において、検出体６０の全ての入球検出口６３を本体５１の前面側に配列させて、遊技球用の通入出領域とする形態としてもよく、またランプホルダを省略した代わりに、本体５１に成形した夫々の筒部１０１内にランプ７３を挿入して基板５２の孔１０２から照明する形態としてもよい。検出体６０については、１枚(１個)の郭体６１で構成された形態例において、入球に対する検出部に磁気,機械的接点,発光および受光を夫々利用するタイプのものとしてもよい。そして別の形状例として、図１７に例示するように、入球検出口を省略した郭体６１の前端側に適宜スイッチ基板に接続された検出部６７(機械的接点を示す)を横一列に等間隔で配列し、これらの検出部６７を本体５１に成形された仕切り片５３間の入球口５４に対する所要位置に臨ませた形式のものであってもよい。
【００２９】
一方、外装表示体７７については、外形サイズ、図柄組合わせ表示内容および装飾面等を含み適宜選択可能にされたものとし、図１８に例示するように、表示板７８の両端部内側に適宜表示具１０３を配設したり、あるいは中央部内側に成形した案内箱部１０４内に適宜表示具１０５を組込むようにしたものでもよく、また入球ユニットＵに対して直接整合して組付けるようにした形態でもよい。そして、入球装置Ｍのランプ点灯表示制御について、検出体６０の各検出部６７と、遊技盤９における他の入球具や役物に付設された検出スイッチ３１との夫々の入球検出条件に応じて、ランプを点灯または点滅させたり切換えるようにしてもよい。
【００３０】
【発明の効果】
以上説明したように、本発明に係る図柄組合わせ式パチンコ遊技機用の入球装置によれば、遊技球を通入出し得る規定数分の入球口を横一列に配設したことにより、装置の横方向、縦方向および厚み方向の全体サイズを可及的に小型化し得、遊技盤の最下部に配設して遊技面の広く有効な活用を図り得る。また、入球口に通入した遊技球を検出部が検出すると、対応のランプが所定時間に亘り点灯して外装表示体の当該位置の入球表示部が内側から照明表示される。
更に、入球ユニットにおける本体と前記検出体とは、該本体の裏面に成形した保持枠の適所に形成された凹溝と、該検出体の前記郭体に形成された突条とを位置決め手段とすることで、正確に組付けセットし得る利点がある。
【００３１】
また、前記外装表示体の裏面に形成した支持縁および案内部が、夫々の入球口および前記検出体の入球検出口内に位置するので、遊技球の安定した通入出および静的な通出落下を図り、好適な入球検出を保持し得る有益な効果を奏する。
【図面の簡単な説明】
【図１】本発明の実施例に係る図柄組合わせ式パチンコ遊技機を概略で示す正面図である。
【図２】本発明の実施例に係る図柄組合わせ式パチンコ遊技機を一部開蓋して略示する背面図である。
【図３】遊技機の正面内部および遊技盤の一部を略示する正面図である。
【図４】遊技機の裏側および遊技盤の裏側を略示する背面図である。
【図５】図１中のＶ−Ｖ線に基く側断面図である。
【図６】入球装置の主要部を分解して示す斜視図である。
【図７】入球装置の構成部を分解して示す平面図である。
【図８】入球装置の構成部を分解して示す背面図である。
【図９】入球装置の主要部を組立て状態で一部破断して示す正面図である。
【図１０】入球装置の主要部を組立て状態で一部破断して示す背面図である。
【図１１】入球装置の設置状態を一部破断して示す平断面図である。
【図１２】入球装置の主要部を示す側断面図である。
【図１３】検出体の主要部を示す斜視図である。
【図１４】検出体の主要部を示す平面図である。
【図１５】入球装置の付属部材として使用される裏蓋の主要部を示す斜視図である。
【図１６】入球装置の別例として、入球ユニットの主要部を示す斜視図である。
【図１７】入球装置の別例として、入球ユニットの主要部を示す正面図である。
【図１８】外装表示体の別例として、その主要部を示す背面図である。
【符号の説明】
９  遊技盤                        ２２  遊技面
５１  本体                        ５２  基板
５３  仕切り片                    ５４  入球口
５５  保持枠                      ５６  セット口
６０  検出体                      ６１  郭体
６２  区画片 ６３  入球検出口
６４  凹座 ６５  スイッチ基板
６７  検出部                      ６８  蓋片
７３  ランプ                      ７４  集合基板
７７  外装表示体                  ７８  表示板
７９  入球表示部                  ８０  支持縁
８１  凹溝                        ８２  案内部
８９ａ  凹溝                      ８９ｂ  突条
９０  ボス部                      ９５  取付け口
Ｕ  入球ユニット
【図１】
0003918113.tif 000002
【図２】
0003918113.tif 000003
【図３】
0003918113.tif 000004
【図４】
0003918113.tif 000005
【図５】
0003918113.tif 000006
【図６】
0003918113.tif 000007
【図７】
0003918113.tif 000008
【図８】
0003918113.tif 000009
【図９】
0003918113.tif 000010
【図１０】
0003918113.tif 000011
【図１１】
0003918113.tif 000012
【図１２】
0003918113.tif 000013
【図１３】
0003918113.tif 000014
【図１４】
0003918113.tif 000015
【図１５】
0003918113.tif 000016
【図１６】
0003918113.tif 000017
【図１７】
0003918113.tif 000018
【図１８】
0003918113.tif 000019